Podtech/llm-jp-corpus-v4-ja_patent huggingface dataset:
(57)【要約】【課題】従来は雨水を床にたれ流すか、デパート等ではビニール袋に傘をいれて、室内を出る時はビニール袋を捨てる方法で、環境には悪い方法を取っていた。【解決手段】傘の先端から落ちてくる滴を、本体のスポンシ部に取り入れ吸収し、室外に出た時スポンジ押し上げ部を地面に押し付け、雨水排水部と雨水取り入れ口から雨水を排水する。この手段で室内の雨水で滑って転倒してのケガを防止するのと、ビニール袋の使用を廃止して地球に優しい環境を作る事ができる。尚  スポンジに溜めた水は、他の方法でも排出は可能である。この雨水吸収器は色々の形の製作が可能であり、傘と雨水吸収器をジョイントでつなぐようにすると、一つの傘で色々の形の雨水吸収器を取り付ける事ができる。例  ゴルフのボール、人形の形、動物の形、釣の浮、他。例  ゴルフのボール、人形の形、お魚の形、たいろいろあり。【選択図】図３
2010227515.tif 000002
【特許請求の範囲】
【請求項１】
雨が降り濡れた傘をもち、電車、バス他の公共機関に乗ると、足元に雨水が溜まり、履物によっては靴下まで濡れる事があります。
又  この濡れた雨水で滑って転んでケガの原因にもなります。
本件はこれら被害から護るため、傘の先端に本考案の雨水吸収器を取り付け、傘から流れる滴を吸収し、車内や床を濡らす行為を最小限に止める為に考案したものである。
【発明の詳細な説明】
【技術分野】
【０００１】この発明は雨の日に傘をさし、乗り物や室内に入り傘をたたむと、雨水が床を濡らしてしまうので、この雨水を吸収して床を濡らさない装置である。
【背景技術】
【０００２】従来は濡れた傘をもち室内にはいる時（デパート、他）ビニール袋に傘を入れていたが、交通機関では手段はなかった。
【発明の開示】
【発明が解決しようとする課題】
【０００３】これには次のような問題があった。
室内（デパート、他）では傘にビニール袋をかぶせて、室内を出る時はビニール袋を捨てていた。
又  ビニール袋のない室内では、溜まった雨水で滑って転ぶ事があった。
本発明は以上の用な欠点を解決するために、考案されたものである。
【課題を解決するための手段】
【０００４】雨の日に傘の先端部分に本件の雨水吸収器を取り付け、室内に入り傘をたたんだ時、傘の滴が傘を伝い本体の雨水取り入れ部から入り、スポンジ部に吸収され、床を濡らす行為を防ぐ事ができる。
【発明の効果】
【０００５】室内に入った時に傘の雨水が床に落ち、滑って転倒してのケガを防止できる。
又  デパート等の傘用のビニール袋の使用を必要としないので、環境にも優しい。
【発明を実施するための最良の状態】
【０００６】傘の先端に本体雨水吸収器を取り付け、▲１▼の傘の先端から落ちてくる雨水を、▲７▼の雨水取り入れ部から▲３▼のスポンジ部へと雨水を取り入れる。
そして室内から外に出た時、▲６▼のスポンジ押し上げ部を地面に押し付けると、スポンジが縮小しスポンジに吸収された雨水が▲８▼雨水排水部と、上部の▲７▼雨水取り入れ口から雨水が排出される、そして手の力を緩めると▲５▼のスプリングが作動してもとの状態に戻り繰り返しつかえる。
【図面の簡単な説明】
【０００７】
【図１】本体の正面図
【図２】上部平面図
【図３】雨水を押し出した正面図
【図４】下部平面図
【符号の説明】
【０００８】  ▲１▼傘先端
▲２▼本体
▲３▼スポンジ部
▲４▼中心棒
▲５▼スプリング
▲６▼スポンジ押し上げ部
▲７▼雨水取り入れ部
▲８▼雨水排水部
【図１】
2010227515.tif 000003
【図２】
2010227515.tif 000004
【図３】
2010227515.tif 000005
【図４】
2010227515.tif 000006
(57)【要約】【課題】従来、必要な小物と情報を小さくまとめて所持できる便利な小物入れの出現が望まれていた。電子機器は一般に、脆弱な部分もあるため、筐体、或いは蓋等でそれらを傷、汚れ等から保護され、しかも、端子部は容易に関係機器、或いは電源に接続できる形で、全体の設計を考える必要があった。【解決手段】筒状、又は概略卵形の中心軸に垂直な片方の端面は閉じ、もう一方の端面が開口している小物入れ容器の開口側に、端子を外部に突出させた面を具備し、ケースで包含された電子機器付き蓋が小物入れ容器の蓋として小物入れ容器の開口部に勘合し、端子が小物入れ容器内に包含され、小物入れ容器部分の容積が、電子機器ケース部分の容積の１．５倍以上ある形の携帯用小物入れ【選択図】図１
2010227520.tif 000002
【特許請求の範囲】
【請求項１】
筒状、又は卵形の中心軸に垂直な片方の端面は閉じ、もう一方の端面が開口しているプラスチック製の小物入れ容器の開口側に、端子を外部に突出させた面を具備しプラスチック製のケースで包含された電子機器付き蓋が既述の小物入れ容器の蓋として小物入れ容器の開口部に勘合し、端子が小物入れ容器内に包含され、プラスチック製の小物入れ容器の容積が、電子機器付き蓋部分の容積の１．５倍以上ある形の携帯用小物入れ。
【発明の詳細な説明】
【技術分野】
【０００１】この発明は電子機器の小型化普及と、外出時の各種携帯品の増大に伴う小物入れ市場に需要が増している電子機器が装着された携帯用小物入れに関する。
【背景技術】
【０００２】近年、携帯電話、ＵＳＢメモリー、携帯用充電器等携帯用の各種小型電子機器が市場に出て来ており、今後も集積度の高度化、精密製造技術の進歩により、小型化は更に進み、小型電子機器はますます増えてゆくと予想される。
又、人の高齢化、健康志向も高まり薬品、栄養剤等も常に携帯する需要も増えているし、化粧品、まつ毛、付け爪等必要に応じ使用し、常に携帯するものも増えている。
以上の市場の状況があるが、それぞれの携帯品は独立しており、バッグ、又はポケットに入れ携帯し、外出するのが常であった。
【発明が解決しようとする課題】
【０００３】外出時の携帯品が増えて、更に小型化されていることにより、外出先で紛失したり、どこにしまって置いたか忘れ易くなる傾向がある。
又、長寿命化、情報過多時代に健康志向の為、アウトドアライフを安全に楽しむ為には、外出時、必要な小物と情報を小さくまとめて所持できる便利な小物入れの出現が望まれていた。
電子機器は一般に、脆弱な部分もあるため、ケース、或いは蓋等でそれらを傷、汚れ等から保護されて、しかも、端子部は容易に関係機器、或いは電源に接続できる形での全体の設計を考える必要があった。
又、その商品の設計は紛失、落下防止のストラップを付けることが出来、防水構造に容易に出来る形体である事が望まれていた。
【発明の開示】
【課題を解決する為の手段】
【０００４】本発明の［請求項１］にあるように筒状、又は概略卵形の中心軸に垂直な片方の端面は閉じ、もう一方の端面が開口しているプラスチック製の小物入れ容器の開口側に、端子を外部に突出させた面を具備し、プラスチック製のケースで包含された電子機器付き蓋が既述の小物入れ容器の蓋として小物入れ容器の開口部に勘合し、端子が小物入れ容器内に包含され、プラスチック製の小物入れ容器部分の容積が、電子機器付き蓋部分の容積の１．５倍以上ある形の携帯用小物入れとすれば、容器内に小物を入れることが出来、端子が容器で囲まれる形となるため、既述の［発明が解決しようとする課題］の項で述べた課題の必要な小物は小物入れ内に、情報は電子機器内に小さくまとめて所持できる便利な小物入れになり、電子機器の端子部等の脆弱な部分を小物入れ容器で傷、汚れ等から保護されている。
又、プラスチック製小物入れ、電子機器付き蓋はプラスチック製であるため、紛失、落下防止のストラップを付けることが容易に出来る。
又、この形体は防水構造に容易に出来る形体でもある。
【発明の効果】
【０００５】本発明の小物入れ側も電子機器を組み込んだ蓋側もプラスチック製で出来ているため、ストラップ等を取り付ける加工は容易であるし、勘合部は可撓性素材で勘合させるか、ねじ込む方式で勘合させる方法等で防水型にすることも容易である。
蓋側の電子機器を例えばＵＳＢメモリーにして、その中に常用している薬の処方箋の情報を入れておけば、小物入れの中に常に入れている薬が切れたときも外出先での薬局、病院で薬を調達できるし、本発明品を所持している物が外出先で倒れ、意識を失った場合もＵＳＢメモリー内の必要情報、例えば血液型、持病、住所、連絡先等を解読でき、小物入れ内に緊急必要な薬が入っておれば周りのものが緊急に対応できる。
【発明を実施するための最良の形態】
【実施例】
【０００６】以下、本発明の電子機器付き携帯小物入れについての実施例として図１、２、３、及び４を用いて説明する。
図１は本発明品である電子機器付き携帯小物入れの組立正面図である。
図２は蓋側の電子機器付き蓋部分の正面図である。
図３は円筒形小物入れ部分の正面図である。
図４は図３の円筒形小物入れ部分の左側面図である
図中の１は円筒形小物入れ容器部分、２は電子機器付き蓋、３はストラップ、４はオスねじ部、５は端子部、６はメスねじ部である。
円筒形小物入れ容器部分１の電子機器付き蓋２と勘合する側の内側にはオスねじ部４に対するメスねじ部６が切ってある。
この実施例の電子機器はＵＳＢメモリーで５はその端子部である。
ＵＳＢメモリーには本発明品の所持者の住所、氏名、連絡先、血液型、持病、常用薬品の処方箋等の情報が入っている。
外出時、円筒形小物入れ容器部分１から電子機器付き蓋２を捻ってはずし、円筒形小物入れ容器部分１内に必要な携帯品である薬品、栄養剤、化粧品、まつ毛、付け爪等を入れた後、電子機器付き蓋２のオスねじ部４を円筒形小物入れ容器部分１の内側に切ってあるメスねじにあわせ、回転させ勘合させる。
ストラップ３をバンドに通し外出すれば紛失することはない。
【産業上利用の可能性】
【０００７】自明ゆえ、説明は省略する。
【図面の簡単な説明】
【０００８】
【図１】本発明電子機器付き携帯小物入れの側面図である。
【図２】電子機器付き蓋部分の側面図である。
【図３】円筒形小物入れ部分の側面図である。
【符号の説明】
【０００９】１．円筒形小物入れ部分
２．電子機器付き蓋部分
３．ストラップ
４．オスねじ部
５．端子部
６．メスねじ部
【図１】
2010227520.tif 000003
【図２】
2010227520.tif 000004
【図３】
2010227520.tif 000005
【図４】
2010227520.tif 000006
【手続補正書】
【提出日】平成21年5月23日(2009.5.23)
【手続補正１】
【補正対象書類名】明細書
【補正対象項目名】０００８
【補正方法】変更
【補正の内容】
【０００８】
【図１】本発明電子機器付き小物入れの側面図である。
【図２】電子機器付き蓋部分の側面図である。
【図３】円筒形小物入れ部分の側面図である。
【図４】円筒形小物入れ部分の正面図である。
(57)【要約】【課題】ぬめりのある根菜類を掴んで皮をむいたり、すりおろしたり魚を捕獲調理する時、手が滑って材料が落ちないように、しっかりと掴む事ができるようにする。材料が直接手に触れるのを少なくすることによって、ぬめりや痒み、及び、臭みなどを防ぐようにする。【解決手段】突起２が沢山ある、指バンド本体１を指にはめる事によって、材料をしっかりと掴む事ができるようにした。指の細さに合わせて段々と締付けると、ひっかけ爪４がひっかかり溝３にはまるようにした。【選択図】図２
2010227519.tif 000002
【特許請求の範囲】
【請求項１】
指バンドの表面に突起をつくった。
【請求項２】
指バンドを大きめに作り、指の細さに縮めたとき、元に戻ろうとする反発力を利用し、引っかけ爪が溝にはまるようにした。
【請求項３】
筒状の指輪の表面に、沢山の突起を作った。
【発明の詳細な説明】
【発明の詳細な説明】
【技術分野】
【０００１】本発明は、ぬめりのある物を掴む時、手が滑らないように、指バンドの表面に沢山の突起を作り、指にはめて使用し材料をしっかりと掴むことができるようにしたものである。
【背景技術】
【０００２】従来は指サックやいぼいぼのゴム手袋はあったが、突起のついた指バンドはなかった。
【発明が解決しようとする課題】
【０００３】ぬめりのある里芋の皮むきや山芋のすりおろし、又、ぬめりのある魚を捕獲し調理する時に、手が滑って何回も落としたり、掴み損ない、調理がはかどらなかった。
【課題を解決するための手段】
【０００４】指バンドの表面に沢山の突起をつくる事によって、この指バンドを指にはめて物を掴んだとき、しっかりと掴めるようにした。又、バンドを大きめに作り、指の細さに合わせ、しめ付けた時、元に戻ろうとする反発力を利用して、ひっかけ爪が溝にはまるようにし、どんなサイズの指にもはまるようにした。
【発明を実施するための形態】
【０００５】  以下、本発明の実施の形態について説明する。
（イ）指バンド本体１の表面に、沢山の突起２を作る。片方の先端にひっかけ爪４を作り、もう一方には、爪４がひっかかる溝３を数個あける。
（ロ）本バンド本体１を丸めて、はめられる状態に少し大きめに加工する。
（ハ）指の細さに合わせ、しめつけた時、元に戻ろうとする反発力を利用しひっかけ爪４が指の寸法に合うよう、溝３にはまるようにした。
（ニ）材料が直接指に触れないよう図３のように筒状に加工し、筒穴を太くして大小の指に合うようにした。
【発明の効果】
【０００６】特にぬめりのあるものを掴んで皮をむいたり山芋を摩り下ろしたりする時、材料が手から滑り落ちたりしない。又、魚を捕獲、調理する時、しっかりと掴み逃がさない。場合により、１０本の指にはめて作業する事もできる。
【図面の簡単な説明】
【図１】本発明の伸ばした状態の正面図である。
【図２】本発明の、指にはまるように丸めた状態にした断面図である。
【図３】本発明を筒状に加工した立面図である。
【図４】本発明の使用状態を示す立面図である。
【符号の説明】１  指バンド本体
２  突起
３  ひっかかり溝
４  ひっかけ爪
５  材料
６  皮むき器
【図１】
2010227519.tif 000003
【図２】
2010227519.tif 000004
【図３】
2010227519.tif 000005
【図４】
2010227519.tif 000006
(57)【要約】【課題】ホテルのベッドメイクを行う時、室内環境にやさしく効率の良い作業ができるよう軽量小型で便利な、かけ布団カバー（デュペカバー）簡単取付け具を提供する。【解決手段】前頭部軸（１）に滑り止付クリップ（２）を設け、後部軸（３）に折りたたみステー（４）の下部に滑り止（５）を設け、後部軸にクリップ開閉レバー（７）を設けた組み合わせを特徴とする。【選択図】図３
2010227516.tif 000002
【特許請求の範囲】
【請求項１】
（イ）軸前頭部（１）に滑り止付クリップ（２）を設け、軸後部（３）に折りたたみステー（４）の下部に滑り止（５）を設け、後部軸にクリップ開閉レバー（７）を設ける。
以上の構成よりなる、かけ布団カバー（デュペカバー）簡単取付け具。
【発明の詳細な説明】
【技術分野】
【０００１】この発明は、ホテルのベッドメイク作業時に、道具を利用してベッドメイクする、かけ布団カバー簡単取付け具に関するものである。
【背景技術】
【０００２】従来のホテルベッドメイク作業は、道具を利用することのない、手作業でベッド回りを四方八方に動く、むだな動作と処理作業で今日まで改善対策も無くベッドメイクを行ってきた。
【発明が解決しようとする課題】
【０００３】従来は、次のような欠点があった。
（イ）布団、カバーを振り広げる時に、リネンの糸ほこりが客室内で舞い室内環境と健康上に悪く、舞ったほこりの清掃が二度手間となっていた。
（ロ）布団の張りのあるセッティングに手間がかかった。
（ハ）ベッドメイクの作業効率性が良くなかった。
本発明は、以上のような欠点をなくすためになされたものである。
【課題を解決するための手段】
【０００４】前頭部軸（１）に滑り止付クリップ（２）を設け、後部軸（３）に支える折りたたみステー（４）の下部に滑り止（５）を後部軸にクリップ開閉レバー（７）を設けた組み合わせによる。
本発明は、以上の構成によりなる、かけ布団カバー簡単取付け具である。
【発明の効果】
【０００５】  この作品は、小型軽量化により扱いが簡単で、女性にも使いやすく便利である。
ベッドメイク作業は、従来と違い道具を利用して、布団とカバーの両頭裾をクリップでつまみ、布団とカバー後部両裾をベッド後部へ引き込む作業により、手間も省けほこりが出ない事で室内環境と健康面にやさしく生産性も上がった。
このような構成です。だから、このように新しい「発明の効果」が生まれました。
【発明を実施するための最良の形態】
【０００６】以下、本発明を実施するための最良の形態について説明する。
前頭部軸（１）に布団とカバーをはさむ滑り止付クリップ（２）を設け、後部軸（３）に折りたたみスタンドステー（４）の下部に滑り止（５）を設ける。
本発明は、以上のような構造でこれを使用するときは、最初にシーツのセッティングをする。ベッド頭部で布団を三つ折りにする。カバーを布団頭裾部より挿入し三つ折り布団を入れる。布団カバー左右頭裾をクリップで止め、ベッドヘッドすき間に折りたたみステーを差込み設置する。挿入された三つ折り布団と、カバー後部両裾をつまみベッド後部へ布団とカバーを引き張れば、布団のセッティングができる。道具を撤去し仕上げに布団とカバーの四隅を調整すれば良い。
【図面の簡単な説明】
【０００７】
【図１】本発明の正面図である。
【図２】本発明の側面図である。
【図３】本発明の斜視図である。
【符号の説明】
【０００８】１．前頭部軸  ２．滑り止付クリップ  ３．軸後部軸  ４．折りたたみステ−  ５．滑り止ゴム  ６．滑り止ゴム  ７．後部軸クリップ開閉レバー  ８．接触部ゴム
【図１】
2010227516.tif 000003
【図２】
2010227516.tif 000004
【図３】
2010227516.tif 000005
(57)【要約】【課題】物損交通事故の際に，法的根拠なく「あなたにも過失がある」などと言われることがある。弁護士資格を持たない損害保険業界資格ではせいぜいが「弁済額の変動」（新品修理か中古修理か簡易修理かなど）しか認められないのに、加害者側代理人である弁済業務を本業とする損害保険会社は、平気で口頭で「あらゆる事故に過失がある」などと詐欺罪・非弁行為の疑いのある交渉をいきなり始めることがある。完全被害者が泣き寝入りをすることも多いと聞く。【解決手段】示談交渉の前提の確認、個々の危険行為の実証的把握、交渉合意後の謝罪と安全運転意識の再確認が望まれるが、従前そのような確認事項のフォームが存在しておらず、法的根拠に乏しい口頭での示談が横行していた。示談交渉の公平化を図ることで、安全運転意識の向上、被害者救済という昨今の社会的要請に対しても貢献するものである。【選択図】図１
2010083125.tif 000002
【特許請求の範囲】
【請求項１】
口頭による交通事故示談交渉を統一フォームによって文書化したものである。
【請求項２】
法的根拠のない過失算出（非弁行為）の発生を防ぐことができるものである。
【請求項３】
実証的な運転危険度の反映として過失認定が行われるようになるものである。
【請求項４】
事故対応も含めて被害者救済が実証的に行われるものである。
【請求項５】
ドライバーにその場の損得で対応するのではなく、社会性を持って交通事故弁済に対応するような啓蒙的、社会的効果がある。
【発明の詳細な説明】
【技術分野】
【０００１】本発明は、交通事故の示談交渉の文書化実証化公平化に関する。
【技術背景】
【０００２】  従来の交通事故示談交渉においては法的根拠なく口頭において示談が進められていて、司法判断との齟齬も見られた。
【０００３】  最高裁判所判決においても明らかなように示談交渉権は社会正義の実現の目的を持つ司法資格等を根拠とするもの（例えば、非特許文献１参照）であるが、実際には弁済業を本業とする損害保険会社により加害者本位で示談交渉が進められていた。
【非特許文献１】  最高裁判所判決  最高裁大判昭四六・七・一四
【発明の開示】
【発明が解決しようとする課題】
【０００４】  従来、交通事故示談交渉は、法釣行為であるにも関わらず、安易に口頭で過失が提示されてきた。わたしたち（発明者と婚約者）が被害者となった物損事故の示談交渉事例では、「あらゆる事故には必ず双方に過失がある」であるとか「過失は５対５から始めます」とか「早く過失を認めてください。示談交渉ができませんから」などの非弁行為的、詐欺行為的、強要的な言辞に多く直面した。【０００５】  わたくしたちが被害者となった交通事故（物損事故）２例において、加害者側損害保険会社は、１例では「７対３」、もう１例では「６対４」の過失提示を行ってきたが、司法の場でわたしたちは２度無過失となった（１例は加害者側が争わなく確定した）。このように損害保険会社が提示する過失認定は、司法判断とのずれが大きいのである。【０００６】  本発明は、このような従来の交通事故における示談交渉が有していた問題を解決し、最高裁判所判断にある「示談交渉は社会正義実現の為」という理念に則った示談交渉を実現することを目的とするものである。【０００７】  どんな安全運転をしていても、従来の示談交渉においては、自身が過失を認めなければ被害者側損害保険会社は示談交渉を行使しなかった。「本業が弁済ですのであなたか過失を認めて弁済が発生しなければ示談交渉はしません」という悪制度であった。これでは安全運転をしていた側にも人工的に過失が捏造されてしまう弊害があった。【０００８】  従来の示談交渉では、完全被害者が「具体的根拠」がないまま、制度的な弊害によって泣く泣く自身への過失を認めざるを得ない状況があった。わたしたちの物損事故での損害保険会社の対応もそのような「自身による過失認定」をうながうような言辞であった。このような示談交渉は、基本的人権の尊重にも抵触する危険性がある。【０００９】  警察署交通課のおまわりさんたちから話を聞くと、人身事故においてドライバーが明らかなウソをつくケースが多いということである。示談交渉で法的根拠がない過失を相手に押し付けることを覚えてしまったドライバーは、その後危険運転への反省心も育たず、人身事故の当事者となっても、なるべく自分自身に不利益なことを隠そうとする習慣が身に付く。警察官の実況見分においても当事者間の供述が分かれることが多く、公安行政の職員である警察官にでさえ不実な説明をするようになる。公安委員会から免許を発行されているドライバーが、実況見分の警察官に事実を正直に語らないということが蔓延するならば、自動車免許制度自体が崩壊をしてしまう。
【課題を解決するための手段】
【００１０】  示談交渉を妨げる「詐欺」的言辞、「非弁行為」的言辞などが行えないように、法の理念に則り「０対０」の「相互無過失」の「示談交渉の端緒」の確認事項が書面で行えるようになっている。【００１１】  お互いの運転行為を記録し、同意形成を促すようになっている。個別的な危険運転、道路交通法違反行為なども相互確認をして積み上げてゆく書式となっていて、実証的に積み上げ方式でお互いの危険運転の有無等が確認できるようになっている。どんぶり勘定で「５対５」であるとか「８対２」などの従来の「示談を成立させれば良い」という非実証的な過失算出を排除することができる。
【発明の効果】
【００１２】  自動車事故の弁済というのは「金を払いさえすれば良い」というものではない。公安委員会発行の自動車運転免許証等を所持して運転をするのであるから、その免許制度に合致しない安全運転意識から遠い「相手に過失を押し付けて逃げ切れば良い」という自分勝手なドライバーは本来免許を返却すべき制度である。昨今の凶悪な自動車事故の多発を憎み、安全運転の意識を向上させる具体的方法は従来の示談交渉においては存在していなかったが、ドライバーが自身の運転を実証的・客観的に捕らえて安全意識の向上に努めたり、被害者にきちんと謝罪をして再発防止の強い理念を心に刻む方法は存在しなかった。物損事故であるからと言って危険運転の責任から逃れて法的根拠なき過失を相手に押し付けるドライバーが多くなれば、畢竟人身事故、死亡事故の被害者は後を絶たなくなる。このフォームにより他者との関係の中での運転をしているのだという意識が育成される。【００１３】  損害保険業協会の業界認定資格は、司法資格とは異なる。司法資格非所持者が勝手に根拠なく過失認定を持ち出すとなると、日弁連による業界への示談交渉権の貸与自体が不法性を持つことになる。加害者の代理人であり弁済業を本業とする損害保険会社が、勝手に過失認定をすることは最高裁判決と合致しないのであり、司法資格者による示談交渉権の独占が不法性を有することとなる。本来は日弁連が公平な示談交渉を促進するためのフォームを作成するなどの義務を社会的に負っていたのであるが、加害者の代理人による過失認定行為のみが偏在しているので、法の下の平等と公平を期すためにも、本発明は有効である。
【図面の簡単な説明】
【００１４】
【図１】事故の日時等とともに、前提確認、状況確認、事後対応などが書かれていて、示談交渉が文面によって円滑公平に行われるようになる。
【図１】
2010083125.tif 000003
(57)【要約】【課題】光触媒紙を利用した従来製品としては、カレンダーやポスターがあるが何れも可なりの面積に印刷を施してあるので、本来光触媒効果をもつ白地部分が減少し、効果が小さく、また使用期間が短いものが多く、本来半永久的な光触媒効果をもつ光触媒紙利用製品としては不適当である。これらの欠点を解決するのが本発明の課題である。【解決手段】１．インクによる印刷部分を少なくし、白地のままの点字印刷を施す。２．１項による装飾性不足を補うため、絵ハガキなどのカードを添付する。３．単なる１枚の用紙でなく、ポケット付にしてこれをファイルとして利用できるようにして利便性を与え、利用者が長期間利用可能とする。【選択図】図１
2010083127.tif 000002
【特許請求の範囲】
【請求項１】
１枚の光触媒紙の上部に吊るし孔を設け、その下の中間区画に小面積の絵をプリントし、その周囲を白地のままにしたり、点字による地紋を施し、或いは点字のみの白地の文章や絵画を施して、光触媒効果の有効な白地部分の面積を成るべく大きくし、更に最下部にカード差し込み用切れ目を施し、裏面下部にはファイル用ポケットを設け、装飾用絵や写真を添付・交換可能とし、かつファイル用ポケットによってカード、書類等のファイルとしての利便性をも高め、利用者による長期間使用を可能とすることによって光触媒効果を持続的に高めて維持することを特徴とする光触媒カベカケ・ファイル。
【発明の詳細な説明】
【技術分野】
【０００１】本発明は、カベカケ型光触媒紙に関するものである。
【背景技術】
【０００２】従来の光触媒紙によるカベカケカレンダーやポスター等は、広告用やカレンダー用の印刷部分が大きく、肝心な白地部分が少なく、白地部分のみに有効な光触媒効果が少ないものが多い。
【発明の開示】
【発明が解決しようとする課題】
【０００３】０００２で述べられた従来のカベカケ型光触媒紙製品の欠点を解決することが本考案の課題である。
【課題を解決しようとする手段】
【０００４】光触媒紙に施す印刷部分を少なくし、その代わりに点字による地紋、文字や絵画を施し白地部分を多くし、更にこの用紙に直接印刷するのでなく、これとは別にカラー印刷された絵ハガキや写真が搭載されたカードを添付・交換可能として装飾性を高め、更にファイル用ポケットを設けて利便性を高め、利用者による長期間使用によって、光触媒効果の持続性を可能とする。
【発明の効果】
【０００５】従来技術に比べて
１．光触媒紙を利用しカベカケ式とし、印刷によるインクの塗布部分を少なく白地部分を多くし効果を高める。
２．インク塗布部分を少なくする代わりに白地の地紋、絵や文字など点字部分を多くし、効果を高める。
３．白地を多くした場合、装飾が貧弱になって淋しいので、それを補うために美しい絵ハガキや写真などのカードを添付するための区画を設けた。
４．色々なカード、ハガキ、カタログなどを収容保管できるポケットを設けてあるので利用者にとって便利であり、長期間カベカケとして利用されるので、効果が永もちする。
【発明を実施する上での最良の形態】
【実施例１】  図１、２、３、【０００６】図１は光触媒紙を利用したカベカケ・ファイルの表側正面図であって、長方形の光触媒紙はその上下方向に１−１，１−２，１−３の３区画に分割され、１−１の中心にはカベに吊るすための吊るし孔が施され、１−２の中央部には面積の小さい印刷３を施され、その周囲の面積の大きい白地部分に点字による地紋・絵・文字など４を施こし、又は点字のみの絵画を施され、１−３にはその下端にカードの２隅を挿入するための切れ目５−１，５−２，５−３，５−４が施されている。
図２はカベカケ・ファイルの裏面の正面図で、上下方向に１−４，１−５，１−６の３区画に分割され、１−４，１−５は白地であって、１−６は１の表側下端を裏面へ折り曲げ、その左右両端に接着剤６−１，６−２を施すことによりポケットとされ、この中にカード、ハガキ、チラシや書類など色々なものを収容保管できるようにしたものである。
図３はカベカケ・ファイルの側面図である。
【図面の簡単な説明】
【０００７】
【図１】：本発明によるカベカケ型光触媒紙の表側正面図
【図２】：本発明によるカベカケ型光触媒紙の裏側正面図
【図３】：本発明によるカベカケ型光触媒紙の側面図
【符号の説明】
【０００８】１                    ：本発明によるカベカケ・ファイル
１−１，１−２，１−３：本発明によるカベカケ・ファイル表側の３区画
１−４，１−５，１−６：本発明によるカベカケ・ファイル裏側の３区画
２                    ：吊るし孔
３                    ：小面積の印刷部分
４                    ：点字による地紋
５−１，５−２，５−３，５−４：表側区画１−３に設けられた切れ目
６−１，６−２        ：裏側下端の左右端に施された接着剤
【図１】
2010083127.tif 000003
【図２】
2010083127.tif 000004
【図３】
2010083127.tif 000005
(57)【要約】【課題】  輪切りにした集成材のタイルや、ボードは曲げ強度が弱く用途が限られ空気の浄化作用は大きくなかった。【解決手段】  ベニア板にピンを施し、炭塗料を塗布して乾燥させた、ピンと炭層を有するベニヤ板に輪切りにした集成材を張り付け一体化した。【選択図】図１
2010083126.tif 000002
【特許請求の範囲】
【請求項１】
炭層を有するベニア板と、間伐材を輪切りにして成る集成材とを、ピンを使用して挟んで一体化した構造であることが特徴である、炭層とベニア板と集成材で成るボード。
【発明の詳細な説明】
【技術分野】
【０００１】  集成材とベニア板間に炭層を挟んだボードに関する。
【背景技術】
【０００２】  変化に富んだ凹凸表面模様を付与するとともに、ＶＯＣ吸着作用および湿気吸着作用を有する、炭粉を混入した塗料による表面塗膜が形成されてなることを特徴とする建築用板は特願２００１−３３１９９６にある。【０００３】  一方、環境保護が叫ばれる中にあって、経済性の面から間伐材の利用が進んでいないのが現状である。【０００４】  本発明は、高機能、低コストで間伐材を利用できるよう実施されたものである。
【特許文献１】特願２００１−３３１９９６
【発明の開示】
【発明が解決しようとする課題】
【０００５】  間伐材を輪切りにして成る集成材とベニア板で、炭層を挟んで接着した板を提供するために実施されたものであり、木材の温かみと、炭の吸着機能を併せ持ち、室内環境の雰囲気と空気の改善を行うための材料として提供されるものである。【０００６】  間伐材は直径が小さなため、張り合わせて集成材にしなければ広い用途には使用できない。【０００７】  間伐材を輪切りにした集成材は、年輪が見えて落ち着いた雰囲気を与えるが、曲げ強度が弱く脆い。また、水分を含むと著しい歪が生じる。【０００８】  ベニア板と間伐材を輪切りにした集成材を炭塗料で張り合わすと、曲げ強度はできる。しかし、集成材が歪んで商品化ができない。【０００９】  一方で合板は水分を含んでも歪は小さい。
【課題を解決するための手段】
【００１０】  炭塗料は開発されているが、水溶性接着剤は水分を多く含んでいるため、間伐材を輪切りにしたものに直接接触すると接着剤中の水分によって、歪が生じて商品化できなかった。【００１１】  一方、ベニア板は炭塗料を塗布しても大きな歪が生じないので、合板にピンを植えつけて、炭塗料が乾燥して炭層になった後、図１のように間伐材の輪切りにしたものを押し付けて接着させると、歪が生じない。【００１２】  合板は維管束側面であり、ピンが立ちこみにくいが、集成材の輪切り部分は維管束正面であるためピンは容易に入る。【００１３】  釘やピンが表面に現れないように、ピンをベニア板に植え付けた後、炭塗料を塗布すると炭塗料とピンが接着して外れにくくなる。【００１４】炭層とピンを設けたベニア板に、間伐材を輪切りにした集成材を押し付けると、容易に接着して一体化する。【００１５】  請求項１は、炭塗料によって炭層を得たベニア板と、間伐材を輪切りにした集成材とをピンを使用して接着した構造であることが特徴であり、木材の年輪による質感を得ることができると伴に、強度があり、空気の浄化機能に優れ、ピンが立ちこみやすく、跡が目立ちにくい特徴を有する。【００１６】  間伐材の輪切りにしたものは維管束によって無数の穴を有しているため、空気や、湿気を素早く流通させる。このため、ベニア板と集成材で炭層を挟んでいても優れた吸着性能を有する。【００１７】  炭塗料は水溶性接着剤に炭粉を混合したものであればよい。【００１８】  炭は活性炭、木炭、竹炭のいずれか又は混合した粉炭を使用する。
【発明の効果】
【００１９】  空気を浄化し、心地よい空間の創造ができ、炭、集成材伴に、間伐材を使用できるため、低コストで提供でき、森林保護にも貢献できる。
【発明を実施するための最良の形態】
【００２０】  例えば、１００ｍｍ角のタイル状板を作る場合は、図１のように、１００ｍｍ角の合板に５本の押しピンを接着させる、次に炭塗料を噴霧して乾燥させる。１００ｍｍ角の間伐材の輪切りにした集成材を押し付けて張り付ける。金属部分が表面に現れないため表裏伴に木質感覚のある木材タイルになる。【００２１】  例えば、縦９００ｍｍ、横１８００ｍｍのボードを作る場合は、ベニア板に適当な数量のピンを接着した後炭塗料を塗布し乾燥させて、１００ｍｍ角の間伐材の輪切りにした集成材を張り付ければよい。
【産業上の利用可能性】
【００２２】  建築物の壁面に使用できる。
【図面の簡単な説明】
【００２３】
【図１】は角タイル状板の斜視図である。
【符号の説明】
【００２４】１．集成材
２．炭層
３．ベニア板
４．ピン
【図１】
2010083126.tif 000003
(57)【要約】【課題】  エスカレータの乗降時に起きる引き込み事故を無くす為に、回転ローラーを設けて乗り降りする際の移動をスムースにし、引き込み事故を防ぐ、引き込み防止装置を提供する。【解決手段】  今あるエスカレータの踏段クリートと乗降板の隙間で起きる引き込み事故を防ぐために、ここに回転ローラーを設けて引き込み事故を無くす引き込み防止装置。【選択図】図１
2010083676.tif 000002
【特許請求の範囲】
【請求項１】
今あるエスカレータの踏段クリートと乗降板の隙間で起きる引き込み事故を防ぐために、ここに回転ローラーを設けて引き込み事故を無くす引き込み防止装置。
【発明の詳細な説明】
【技術分野】
【０００１】  本発明は、エスカレータを利用しているときに起こるエレベータの踏段クリートと乗降板あるいはステップガードで起きる物の引き込みを防ぐために、踏段クリートと乗降板の間に、別の回転ローラーを具備した、引き込み防止装置である。
【背景技術】
【０００２】エスカレータの多くは一度に多人数の人が利用するためにかなり頑丈に作られています、そのために大きな踏段クリートが必要になり、そこで起こる事は移動してきた物が突然動きのない乗降板と接続して物や人をおろす事になるために、大きな問題を発生させている、乗る物が全て頑丈な物であれば問題ないが、機械の様子から見て、人間はそれ程頑丈ではない、また、小さな持ち物や、人がはいている靴、何かの時に偶然起きてしまう指はさみなどのそれほど頑丈でない物もその場所を通過する、頑丈な物とそうでない物を同時に保護しなければなりません、本発明はその問題点を解決するための物です。【０００３】エスカレータの踏段クリートと乗降板の潜り込み部分は、かなりの速さで乗降板の下に入り込んで行きます、また、エスカレータの踏段も乗降板も頑丈でなければなりません、ステップガードで物の巻き込まれを防いでいますが、ステップガードだけでは簡単に隙間をなくす事は無理なので問題が起きます、そこで、その部分に加重が掛かっても大丈夫な小さな回転ローラーを具備する事で問題を解決出来る。
【課題を解決するための手段】
【０００４】今まで踏段と乗降板の接続部分はコムと呼ばれる櫛状のカバーで、踏段の溝と乗降板の隙間を出来るだけ小さくしていますが、これだけではまだ不十分です、そこで考えたのがこのコムと呼ばれる物の替わりに径の小さい時計方向と同じ回転をする回転ローラーを接続部分に装着して、踏段クリートの動く方向により引き込まれそうになる物を第１ローラーで押し戻して巻き込まれを防止する、その後に、同じ回転方向の第２ローラーの橋渡しでスムースに乗降板に移動出来るようにする。
【０００５】この回転ローラーを設ける事で踏段クリートの溝を浅くする事が出来る、この溝の部分にゴムのようなクッション性のある物で溝を埋め、しかも、踏段クリートの後ろの部分に少しはみ出させる事で、後続の踏段クリートとの隙間も少なくする事が出来、この部分の引き込みも防止できて踏段クリートが幾らか柔らかい感じの物にすることが出来、しかも乗降板の作りも柔らかい感じの物にする事が可能になる。
【０００６】この様に回転ローラーを設ける事により、今までのように移動物が突然そのスピードのままで、停止している乗降板に乗り上げる感じをこの回転ローラーを設置する事で、移動量の少ない状態で乗降場に足先が乗降板に移動でき、使用材質や形状の選択で、隙間を充分に少なくする事が出来る。
【０００７】この緩衝部分を設ける事により次の事も出来るように成る、この回転ローラーの両端とエスカレータ本体のインナーガードとの隙間にも巻き込み防止用のガードが設置できて子供などが、移動手すりに掴まるために端に寄ってしまう場合にも乗降板に近づいたときに、靴等の履き物を内側に幾らかでも移動させて一番危険な乗り降りの際に起きる挟み込みを防ぐ事が出来る。
【発明の効果】
【０００８】此からも益々、利用頻度が増えるエスカレータの乗降板に降り下りする場所での事故を、エスカレータを利用する人間側の、乗り方に問題を転嫁するのではなく、出来るだけ安全なエスカレータにする為に利用できる方法で、子供や、お年寄りに、今まで以上に優しい感じのシステムになり事故の発生を防ぐ事が出来る。
【発明を実施するための最良の方法】
【０００９】以下、本発明の実施の形態にについて説明する。
（イ）踏段クリートと乗降板の隙間に巻き込まれ防止用に時計方向に回転する第１ローラー（１）を取り付ける事により中に入ってこようとする物や、手指、足指、柔らかい子供靴などを押し出す働きをするために巻き込みを防止できる。
（ロ）第１ローラーで移動して来た物を、同じく時計方向に回転する、第２ローラー（２）を設ける事でよりスムースに、乗降板に移動できることで、より乗り降りの危険を排除できる。
（ハ）このローラー設置部分は今までは子供などが移動手すりに掴まるために端によって挟み込まれる事が多い場所でした、しかし、本発明によりこの部分にガードを設ける事が出来、挟み込みを防止できる。
【図面の簡単な説明】
【００１０】
【図１】  本発明の側面構造図
【図２】  本発明の上面構造図
【符号の説明】
【００１１】  １  第１ローラー
２  第２ローラー
３  乗降板
４  踏段クリート
５  保護ラバー
６  後続踏段クリート
７  インナーデッキ
８  ガード
【図１】
2010083676.tif 000003
【図２】
2010083676.tif 000004
(57)【要約】【課題】  セリシン、フィブロインを主とする有用成分を含む蚕の繭による肌のマッサージ、角質除去作業を、異臭を和らげて芳香を伴った状態で行う。【解決手段】  蚕の繭の本体を構成する繊維部分に精油（植物から採取した芳香物質を含む有機化合物）を浸透させることにより、使用時の蚕の繭の異臭を和らげるとともに精油の芳香を提供する。【選択図】図２
2010083855.tif 000002
【特許請求の範囲】
【請求項１】
精油（植物から採取した芳香物質を含む有機化合物）を繭の本体を構成する繊維部分に浸透させた状態を特徴とする蚕の繭
【発明の詳細な説明】
【技術分野】
【０００１】  本発明は、セリシン、フィブロインを主とする有用成分を含み、肌へのマッサージ効果や角質除去効果を得る、蚕の繭玉に関するものである。
【背景技術】
【０００２】  蚕の繭が有する抗酸化機能や保湿機能を得ながら、微細な繭繊維により肌へのマッサージ効果や角質除去効果を得るには、蚕の切り繭（繭の一部を切開し内部の蚕を除去したもの）をそのまま湯に浸し柔らかい状態にして、肌を摩擦する方法が一般的であった。
【発明の開示】
【発明が解決しようとする課題】
【０００３】  蚕の繭は湯に浸した時に繭特有の臭いを発するため、特に鼻の周辺の肌のマッサージに蚕の切り繭（繭の一部を切開し内部の蚕を除去したもの）を使用する場合、異臭を感じるものであった。
【課題を解決するための手段】
【０００４】  そこで、本発明は、以上の課題を解決すべく、蚕の繭の本体を構成する繊維部分に精油（植物から採取した芳香物質を含む有機化合物）を浸透させることにより、使用時の蚕の繭の異臭を和らげるとともに精油の芳香を提供するものである。
【発明の効果】
【０００５】  本発明の芳香精油入り繭玉の使用方法としては、一般的な蚕の切り繭を使用する時と同様に、切り繭をお湯につけて柔らかい状態にしてから切り繭の開口部に指を入れて肌をこすりマッサージを行う。この工程を繰り返しセリシン、フィブロインを主とする有用成分を含む繭の繊維による肌へのマッサージ効果や角質除去効果を得る時に、精油の芳香も得ることが可能となる。また繭に浸透させる精油にラベンダーやローズウッド、ネロリ、カモミールなどの肌への有用成分を含む精油を用いればスキンケア作用がさらに増すものである。
【発明を実施するための最良の形態】
【０００６】  以下、本発明の実施形態について図面を用いて説明する。図１は本発明品の斜視図である。直径１０ミリメートルから２０ミリメートル程度の開口部が設けられるように繭の先端の一部を切断し、この開口部から内部の蚕を除去した後に、繭本体を構成する繊維部分に植物の精油をたらして浸透させる。繭の繊維質が自ら精油を吸収拡散するため容易に本発明品が完成する。
【図面の簡単な説明】
【０００７】
【図１】本発明に関わる芳香精油入りまゆ玉の斜視図である。
【図２】本発明に関わる芳香精油入りまゆ玉の製造過程の一例を示した図である。
【符号の説明】
【０００８】  １  切り繭
２  繭の先端の一部を切断して設けた開口部
３  精油（スポイトを用いて繭に浸透させる例）
【図１】
2010083855.tif 000003
【図２】
2010083855.tif 000004
(57)【要約】【課題】ポリタンクに伸縮ハンドル、車輪、ショルダをつけた液体用補給用具を提供する。【解決手段】ポリタンク前部の下に車輪２個を設け、ポリタンク前部に伸縮ハンドルを設け、伸縮ハンドルの下部と車輪を固定する車輪受け軸を設け、ポリタンク後部には、背負えるショルダを装着したことを特徴とする液体用補給用具。【選択図】図２
2010083580.tif 000002
【特許請求の範囲】
【請求項１】
ポリタンク前部の下に車輪２個を設け、ポリタンク前部に伸縮ハンドルを設け、伸縮ハンドルの下部と車輪を固定する車輪受け軸を設け、ポリタンク後部には、背負えるショルダを装着したことを特徴とする液体用補給用具。
【発明の詳細な説明】
【技術分野】
【０００１】  本発明は，ポリタンクに伸縮ハンドル、車輪、ショルダをつけた液体用補給用具に関するものである。
【背景技術】
【０００２】  従来、ポリタンクに把持部や車輪などを付けた液体用補給用具があった。（例えば、特許文献１参照）
【特許文献１】登録実用新案第３１００６４２号広報
【発明の開示】
【発明が解決しようとする課題】
【０００３】  そのために，次のような問題点があった。
（イ）把持部や車輪などを付けたポリタンクがあるが、補給後のポリタンクは重くなり        持ち運びに負担感があり、移動には大変負担がかかった。
（ロ）補給後のポリタンクは、地震等大災害の被害で寸断された道路を持ち運ぶには、        困難を極めた。
本発明は，これらの問題点を解決するためになされたものである。
【課題を解決するための手段】
【０００４】  ポリタンク前部の下に車輪２個を設け、ポリタンク前部の背面部に伸縮ハンドルを設ける。伸縮ハンドルの下部と車輪を固定する車輪受け軸を設ける。ポリタンク後部の背面部には、背負えるショルダを装着する。以上を特徴とする液体用補給用具である。
【発明の効果】
【０００５】  引き歩く、背負う、持ち運びの三つの機能が備わったことで、老若男女の誰でもが容易に補給後のポリタンクを持ち運びすることができ、きわめて安心である。【０００６】  一部の行政機関ではコンビニエンスストア等と提携して、非常事態宣言時には閉店して一般の人たちへの販売を中止し、行政機関から住民への飲料水等を確保していることから、補給用ポリタンクで一定期間飲料水を保存しておくことで、災害時の備えが万全になる。
【発明を実施するための最良の形態】
【０００７】  以下，本発明の実施の形態について説明する。
（イ）ポリタンク前部（２）の下に車輪２個（３）を設け、ポリタンク前部（２）に伸        縮ハンドル（４）を設ける。
（ロ）伸縮ハンドル（４）の下部と車輪（３）を固定する車輪受け軸（５）を設ける。
（ハ）ポリタンク後部（６）には、背負えるショルダ（７）を装着する。
（ニ）ショルダ（７）は耐水性の素材などにして、固定具（１４）で止めるとともに長        さ調整用部（８）を設ける。
（ホ）ポリタンク後部（６）の下部には、車輪（３）と高さを同じくするための脚部（        ９）を設ける。
（ホ）ポリタンク上部（１０）には、把持部（１１）を設ける。
本発明は以上のような構成で、これを使用するときは、伸縮ハンドル（４）を伸ばした後、伸縮ハンドル（４）を身体の方向に傾斜させ車輪２個（３）を利用して、引き歩く。
また、図３に示すように車輪はポリタンクの前後の下部に四つの車輪（１２）を装着してもよい。ポリタンク後部（６）のショルダ（７）を両肩に背負い、持ち運ぶ。
ポリタンクには、二つの車輪または四つの車輪を利用して、引き歩く、背負う、持ち運びの三つの機能が備えられ、いろいろな状況下でもその場の判断を勘案して、身体に大きな負担をかけることなく液体用補給用具を運べる。
【図面の簡単な説明】
【０００８】
【図１】本発明の前部の斜視図
【図２】本発明の後部の斜視図
【図３】本発明の他の実施例を示す斜視図
【符号の説明】
【０００９】    １  ポリタンク
２  ポリタンクの前部
３  車輪
４  伸縮ハンドル
５  車輪受け軸
６  ポリタンクの後部
７  ショルダ
８  ショルダの長さ調整用部
９  脚部
１０  ポリタンクの上部
１１  把持部
１２  四つの車輪
１３  注出入用孔部
１４  ショルダの固定具
【図１】
2010083580.tif 000003
【図２】
2010083580.tif 000004
【図３】
2010083580.tif 000005
(57)【要約】      （修正有）【課題】地球環境重視はわれわれの一瞬もおろそかにできない部面である。トウトバッグが悪用の具に使われることにも留意し、ふろしき様の四角布を利用したエコバッグを提供する。【解決手段】簡単でかさばらない物入れとして、ふろしき様の四角布ロがあるが、この四角部分をそれぞれ細長く伸ばして基本体をつくる。それにつながる布帛の重なりでは、袋布イも含めた組み合わせの層が随意にできる。物を何も入れていない時には、この布帛製の製品を掌中にもたたみこめる。この簡便さの発生が布帛製ショルダーバッグとして貴重なところである。【選択図】図１
2010083581.tif 000002
【特許請求の範囲】
【請求項１】
ふろしき様の四角布で、その四個所の角部分を細長く伸ばし模式図（Ａ、Ｂ）のように、相対する同士で結び合う役目の方（１）と、他の相対する同士ではショルダー用のベルト役（２）に供する。この二方面で機能する布帛の収納用具。最外層にして第一の層となる上述の基本のしくみに、布帛の二枚合わせによってできる袋布（イ）を重ねて仮りにこれを第二の層とし、或いは新たにふろしき様の四角布（ロ）を同様に第三の層として持ってくる。必要によって布帛の層はどのようにでも加除できるのである。
このように布帛の層の多寡によって収納量も調整できる上述考案通りエコバッグが仕上がる。
おもにトウトバッグが主流になっているエコバッグの出現は、歓迎されるべき事象として特記しておきたい。ところが一部の不心得者が引きおこしているとされる万引き用のバッグにこれが一変した時、文字通り悪用の具に急転する。これはまことに由由しい事である。そのような点にも考慮して、かさ張らずエコバッグの究極を追求したこれは考案である。
最後に蛇足ながら付属品としては、布帛の厚さの無さに由来して肩に食いこみやすい点を、やわらげるベルトカバー（伊）を布帛製で作るものや、ケータイ電話入れ（呂）など同様に布帛製としてこしらえるという方向もある。模式図（伊）の素材には、面ファスナーすなわち商品名マジックテープ等で作製し、模式図（呂）の輪っか部はショルダー用ベルトにあてがうのである。なお付け加えるまでもないが、ショルダーベルト部分は中間で切れたものと、そうでないものとがある。
【発明の詳細な説明】
【技術分野】
【０００１】  布帛の効用すなわち、〔特許請求の範囲〕にて詳述。
2010083581.tif 000003
【手続補正書】
【提出日】平成21年1月30日(2009.1.30)
【手続補正２】
【補正対象書類名】明細書
【補正対象項目名】全文
【補正方法】変更
【補正の内容】
【発明の詳細な説明】
【技術分野】
【０００１】  布帛の効用すなわち、〔特許請求の範囲〕にて詳述。
【図面の簡単な説明】
【０００２】
【図１】  本発明の使い方を説明した模式図である。
【図２】  本発明の使い方を説明した模式図である。
【図３】  本発明の布カバーそ説明図である。
【図４】  本発明のケータイ電話入れの説明図である。
【手続補正３】
【補正対象書類名】図面
【補正対象項目名】全図
【補正方法】変更
【補正の内容】
【図１】
2010083581.tif 000004
【図２】
2010083581.tif 000005
【図３】
2010083581.tif 000006
【図４】
2010083581.tif 000007
(57)【要約】      （修正有）【課題】収納式リフトを既存（使用中）の小型トラック及び軽トラックに簡便に取付けること。【解決手段】小型トラック、または軽トラックの既存の荷台５に収納式リフト３を所定の位置に固定し、リフト３の上部に十分な補強材を入れた床２を新規に造成する。【選択図】図１
2010083465.tif 000002
【特許請求の範囲】
【請求項１】
特願２００４−０６８７８０と同様のリフトを小型トラック及び軽トラックの既存荷台に固定し、そのリフト上に新規に床を造成する取付方法。
【発明の詳細な説明】
【技術分野】
【０００１】本発明はトラック輸送における荷役作業全般において使用される収納式リフト（構造：特願２００４−０６８７８０）を既存（使用中）の小型トラック及び軽トラックに簡便に取付けられる方法である。
【背景技術】
【０００２】現在使用中の小型トラックや軽トラックの平ボデー車に収納式リフト（構造：特願２００４−０６８７８０）を床下へ取付ける場合、トラックシャシの構造上、強度の確保の問題や荷台たるトラックボデーの改造を伴うものであった。特に軽トラックには至難であった。【０００３】したがって、既に使用しているトラック等に付ける場合、費用、日数もかけて、専門的な工場で行う必要があった。
【発明の開示】
【発明が解決しようとする課題】
【０００４】荷台の床面から、更に高い位置まで、垂直に安全に上昇させられる等、他の機種に無い、優れた機能を持つ収納式リフト（構造：特願２００４−０６８７８０）を既に使用中のトラックにも広く普及させ、安全で、比較的高所での荷役作業を提供する。
【課題を解決するための手段】
【０００５】小型トラック、または軽トラックの既存の荷台に収納式リフト（構造：特願２００４−０６８７８０）を所定の位置に固定し、リフトの上部に十分な補強材を入れた床を新規に造成する。
【発明を実施するための形態】
【０００６】請求項１に記載の本発明に係るリフトの取付けの方法を図で説明。
【図面の簡単な説明】
【０００７】
【図１】本発明の請求項１の内容を図示したものである。  １〜５は名称の説明を記す。
【図１】
2010083465.tif 000003